(57)【要約】【課題】  簡易な構成により確実に電波を検知してＬＥＤを点灯することにより、アンテナから電波が放射されていることを容易に判断することができる物品管理装置を提供する。【解決手段】  この物品管理装置３００は図３に記載の電波確認装置３０と、アンテナ３１を介して物品のＩＣタグに対して管理情報の読み書きを行うリーダライタ１００と、このリーダライタ１００を制御するＰＣ５０と、複数の電波確認装置３０ａ〜３０ｎの何れか一つを選択する切替装置６０とを備えて構成される。尚、本実施形態では各電波確認装置３０ａ〜３０ｎはそれぞれ什器６１ａ〜６１ｎに備えられているものとする。【選択図】  図５
2006040037.tif 000002
【特許請求の範囲】
【請求項１】
物品に付されたＩＣタグに対して管理情報を読み書きするための電波を授受するアンテナと、該アンテナから放射される電波と電磁結合するループコイルと、該ループコイルにより電磁結合した電波を整流して直流電力に変換する電力生成回路と、該電力生成回路から生成される電力に基づいて発光するＬＥＤと、を備えたことを特徴とする電波確認装置。
【請求項２】
前記ループコイルは、少なくとも前記アンテナから放射される電波により前記ＬＥＤを目視可能な光量にて発光させる位置に配設されることを特徴とする請求項１に記載の電波確認装置。
【請求項３】
物品に付されたＩＣタグに対して管理情報を読み書きするための電波を授受するアンテナと、該アンテナを介して前記ＩＣタグに対して前記管理情報を読み書きするリーダライタと、該リーダライタを制御する制御装置と、前記アンテナについての情報を記録するダミーＩＣタグと、を備えたことを特徴とする電波確認装置。
【請求項４】
前記ダミーＩＣタグは、当該ダミーＩＣタグのＩＤと共に、当該ダミーＩＣタグと交信するアンテナに付された識別番号を記録することを特徴とする請求項３に記載の電波確認装置。
【請求項５】
前記ダミーＩＣタグは少なくとも前記アンテナを介して前記リーダライタとの交信が可能となる位置に配設されることを特徴とする請求項３又は４に記載の電波確認装置。
【請求項６】
什器内の物品を管理する物品管理装置であって、
請求項１又は２に記載の電波確認装置と、前記アンテナを介して前記ＩＣタグに対して前記管理情報を読み書きするリーダライタと、該リーダライタを制御する制御装置と、複数の前記電波確認装置の何れか一つを選択する切替装置と、を備え、
前記制御装置は、前記切替装置により前記電波確認装置を順次選択し、選択した電波確認装置に対して電波を送信することにより、当該電波確認装置のＬＥＤが点灯するか否かを確認し、前記切替装置と複数の電波確認装置との接続状況を確認することを特徴とする物品管理装置。
【請求項７】
什器内の物品を管理する物品管理装置であって、
請求項３、４又は５に記載の電波確認装置と、複数の前記電波確認装置の何れか一つを選択する切替装置と、を備え、
前記制御装置は、前記切替装置により前記電波確認装置を選択し、選択した電波確認装置に対して電波を送信することにより、当該電波確認装置のダミーＩＣタグに記録されている記録情報を読み取り、前記選択した電波確認装置に対応するアンテナに付された識別番号であることを確認すると、前記切替装置と電波確認装置とが正常に接続されていると判断することを特徴とする物品管理装置。
【発明の詳細な説明】
【技術分野】
【０００１】
本発明は、電波確認装置及び物品管理装置に関し、例えば、書類ファイルを管理する手段としてＩＣタグとリーダライタを使用したファイル管理システムにおいて、ＩＣタグを付したファイルを複数収納する什器に電波確認装置を備えることにより、複数の什器を１台のリーダライタにより制御するときに切替装置と電波確認装置との接続状態を確認する方法に関するものである。
【背景技術】
【０００２】
従来から役所、会社等、大量の書類を管理、保管する機関、施設においては、書類を整理して収納するためのファイルを人為的なミスなく正確、効率的且つ自動的に管理、収納するために、各ファイル毎にＩＣタグを付し、そのＩＣタグに当該ファイルの管理情報を記録してファイル管理を自動化する試みがなされている。そして複数のファイルを収納する什器には、少なくとも一つ以上のアンテナが備えられリーダライタと接続されている。このとき什器が複数必要な場合は、各什器に備えられたアンテナに対してリーダライタを専用に備える必要が生じる。しかし、リーダライタとアンテナとのアクセス時間は瞬時であるため、必ずしもリーダライタとアンテナを１対１に設置する必要はない。
そこで、一般的には、１台のリーダライタに対して複数のアンテナを制御するために、通信対象とするアンテナを順次切替える切替装置が使用される。図１０は従来のファイル管理システムの構成を示すブロック図である。このファイル管理システム５００は、アンテナを介してＩＣタグに対して管理情報の読み書きを行うリーダライタ１００と、このリーダライタ１００を制御するＰＣ５０と、複数のアンテナ１４５ａ〜１４５ｎの何れか一つを選択する切替装置６０とを備えて構成される。この切替装置６０はＰＣ５０により制御され、切替装置６０で接続されたアンテナ１４５ａ〜１４５ｎに対して電波を送信してＩＣタグの情報を読み取るものである。しかしながら電波は目では見えないため、アンテナが正しく切替装置６０と接続されているか否かを確認することが困難であった。
特開２００４−７８７２５公報には、外部にあるデータ読み書き装置との間で、非接触でデータの送受信を行う非接触ＩＣタグであって、支持体に少なくとも非接触でデータの送受信に用いるアンテナとＩＣチップ、及び、少なくとも目視で光学的な効果を呈するＯＶＤ層を備えている非接触ＩＣタグについて開示されている。
【特許文献１】特開２００４−７８７２５公報
【発明の開示】
【発明が解決しようとする課題】
【０００３】
従来の切替装置を備えたファイル管理システムは、システムの検査段階で接続が正しいか否かを検査する場合、その什器に収納されているファイルの情報を予め確認しておき、その情報が正しく読めるか否かで確認していた。そのため、検査の手順が複雑となり、検査時間が長くなるといった問題がある。
また特許文献１に開示されている従来技術は、非接触ＩＣタグにＯＶＤ層を備えるため、ＩＣタグのコストが高くなるといった問題がある。
本発明は、かかる課題に鑑み、簡易な構成により確実に電波を検知してＬＥＤを点灯することにより、アンテナから電波が放射されていることを容易に判断することができる物品管理装置を提供することを目的とする。
また他の目的は、アンテナの近傍にアンテナ番号とＩＤを記録したダミーＩＣタグを備えることにより、切替装置とアンテナの誤接続を発見することが可能な物品管理装置を提供することである。
【課題を解決するための手段】
【０００４】
本発明はかかる課題を解決するために、請求項１は、物品に付されたＩＣタグに対して管理情報を読み書きするための電波を授受するアンテナと、該アンテナから放射される電波と電磁結合するループコイルと、該ループコイルにより電磁結合した電波を整流して直流電力に変換する電力生成回路と、該電力生成回路から生成される電力に基づいて発光するＬＥＤと、を備えたことを特徴とする。
リーダライタから出力した搬送波はアンテナから電磁波（電波）として空間に放射される。しかし、電波は目に見えないため、間違いなくアンテナから電波が放射していることを判別し易い方法で表示できれば、人間にとって便利である。従来から表示方法の一つとして外部から他の電力を供給して回路的に電波を検出する方法があるが、回路が複雑となり且つ他の電力が必要となるといった問題がある。そこで本発明では、アンテナの近傍にループコイルを配置させ、アンテナから放射される電波パワーの一部をループコイルで電磁結合して利用して、その電力を整流してＬＥＤを点灯させる。従って、電波の強弱によりＬＥＤの光量が変化する。
請求項２は、前記ループコイルは、少なくとも前記アンテナから放射される電波により前記ＬＥＤを目視可能な光量にて発光させる位置に配設されることを特徴とする。
アンテナとループコイルの距離は近いほど電磁結合が強くなる。即ち、通常のパワーでＬＥＤが発光するようにアンテナとループアンテナの距離を設定することが重要である。
【０００５】
請求項３は、物品に付されたＩＣタグに対して管理情報を読み書きするための電波を授受するアンテナと、該アンテナを介して前記ＩＣタグに対して前記管理情報を読み書きするリーダライタと、該リーダライタを制御する制御装置と、前記アンテナについての情報を記録するダミーＩＣタグと、を備えたことを特徴とする。
本発明の特徴は、アンテナから電波が放射されると、必ずリーダライタと交信を開始できるようにアンテナの近傍にダミーＩＣタグを備えた点である。そしてこのダミーＩＣタグには、アンテナの番号とＩＤを記録しておく。例えば、アンテナ番号１にはＩＤが「ＡＡＡ」のダミーＩＣタグを備えるように予め決めておけば、アンテナ番号とＩＤを対応付けて管理することができる。
請求項４は、前記ダミーＩＣタグは、当該ダミーＩＣタグのＩＤと共に、当該ダミーＩＣタグと交信するアンテナに付された識別番号を記録することを特徴とする。
本発明のダミーＩＣタグの特徴は、アンテナから電波が放射されていることについての検証のみならず、ダミーＩＣタグと交信して受信した情報により、ＩＣタグと正常に交信が可能か否かについて検証できることにある。そのために、ダミーＩＣタグに当該ダミーＩＣタグのＩＤと、当該ダミーＩＣタグと交信するアンテナの番号を記録しておく。
請求項５は、前記ダミーＩＣタグは少なくとも前記アンテナを介して前記リーダライタとの交信が可能となる位置に配設されることを特徴とする。
アンテナとダミーＩＣタグの距離は近いほど電磁結合が強くなる。即ち、通常のパワーでダミーＩＣタグとの交信が可能なようにアンテナとダミーＩＣタグの距離を設定することが重要である。
【０００６】
請求項６は、什器内の物品を管理する物品管理装置であって、請求項１又は２に記載の電波確認装置と、前記アンテナを介して前記ＩＣタグに対して前記管理情報を読み書きするリーダライタと、該リーダライタを制御する制御装置と、複数の前記電波確認装置の何れか一つを選択する切替装置と、を備え、前記制御装置は、前記切替装置により前記電波確認装置を順次選択し、選択した電波確認装置に対して電波を送信することにより、当該電波確認装置のＬＥＤが点灯するか否かを確認し、前記切替装置と複数の電波確認装置との接続状況を確認することを特徴とする。
本発明の物品管理装置は、各什器に備えられたアンテナに電波確認装置を取り付け、更に複数の電波確認装置の何れか一つを選択する切替装置を備えたものである。そして選択された電波確認装置にリーダライタから電波を送信する。電波を受信したループコイルはその電力を整流してＬＥＤを点灯させる。これにより、目視によりどのアンテナに電波が送信されたかを確認することができる。
請求項７は、什器内の物品を管理する物品管理装置であって、請求項３、４又は５に記載の電波確認装置と、複数の前記電波確認装置の何れか一つを選択する切替装置と、を備え、前記制御装置は、前記切替装置により前記電波確認装置を選択し、選択した電波確認装置に対して電波を送信することにより、当該電波確認装置のダミーＩＣタグに記録されている記録情報を読み取り、前記選択した電波確認装置に対応するアンテナに付された識別番号であることを確認すると、前記切替装置と電波確認装置とが正常に接続されていると判断することを特徴とする。
本発明の物品管理装置は、各什器に備えられたアンテナに電波確認装置を取り付け、更に複数の電波確認装置の何れか一つを選択する切替装置を備えたものである。そして選択された電波確認装置にリーダライタから電波を送信する。電波を受信したダミーＩＣタグは、リーダライタに対してアンテナ番号とＩＤを返送する。リーダライタはその情報を受信して制御装置により正しいＩＤであるか否かを検証する。正しければ指定したアンテナ番号であるか否かを確認し、切替装置と電波確認装置との接続状態を検証するものである。
【発明の効果】
【０００７】
請求項１の発明によれば、アンテナとループコイルにより電磁結合してその電力を整流してＬＥＤを点灯するので、実際にアンテナから放射される電波を目視により検出することができる。
また請求項２では、ループコイルとアンテナとの距離が、ＬＥＤが目視可能な程度に発光する位置に配設するので、電波を効率良くループコイルで電磁結合することができる。
また請求項３では、アンテナの近傍にアンテナについての情報を記録するダミーＩＣタグを配設するので、アンテナからダミーＩＣタグの記録情報を読み取ることができ、アンテナに関する詳しい情報を取得することができる。
また請求項４では、ダミーＩＣタグに記録する情報が、アンテナの番号とＩＤなので、アンテナとダミーＩＣタグとの対応付けを確実に行うことができる。
また請求項５では、ダミーＩＣタグをリーダライタとの交信が可能となる位置に配設するので、同じアンテナでダミーＩＣタグの情報を読み取ることができる。
また請求項６では、ＬＥＤを備えた電波確認装置を物品管理装置に備えるので、リーダライタから送信した電波がどの什器のアンテナに送信されたかを目視により確認することができる。
また請求項７では、アンテナについての情報を記録するダミーＩＣタグを備えた電波確認装置を物品管理装置に備えるので、リーダライタから送信した電波がどの什器のアンテナに送信されたかをダミーＩＣタグの記録情報により確認することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、一般的なＩＣタグ用リーダライタの構成を示すブロック図である。このＩＣタグ用リーダライタ（以下、単にリーダライタと呼ぶ）１００は、リーダライタ１００との間でデータの授受を行ってシステム全体を制御するＰＣ５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
次に、本構成によるリーダライタ１００の動作を説明する前に、ＩＣタグの構成を先に説明しておく。図２は、一般的なＩＣタグの構成を示すブロック図である。本実施形態のＩＣタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣタグ２００の全体の動作を制御する制御回路２６から構成されている。
【０００９】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣタグ２００に供給する電力供給用信号と、ポーリング信号を交互に電力増幅器７から送信する。その信号は、ループアンテナ９から電磁波として外部に放射される。次に、ＩＣタグ２００がリーダライタ１００に近接すると、ループアンテナ２０が電力供給用信号を受信し、電力生成回路２２によりその搬送波を整流して直流電力に変換して、ＩＣタグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＩＣタグ２００が規格に合致したタグであると認識する。それにより、以後リーダライタ１００とＩＣタグ２００の間でポーリングが行われる。
【００１０】
図３は本発明の第１の実施形態に係る電波確認装置の構成図である。本実施形態では、例えば什器内の物品を管理するために、什器内にアンテナを配設して物品に付されたＩＣタグに対して管理情報を読み書きする物品管理装置等に本実施形態の電波確認装置を備えた場合について説明する。この電波確認装置３０は、物品に付されたＩＣタグに対して管理情報を読み書きするための電波を授受するアンテナ３１と、このアンテナ３１から放射される電波と電磁結合を行うループコイル３２と、このループコイル３２により電磁結合した電波を整流して直流電力に変換する電力生成回路３３と、この電力生成回路３３から生成される電力に基づいて光を発光するＬＥＤ３４とを備えて構成される。またアンテナ３１には物品のＩＣタグに対して管理情報の読み書きを行うリーダライタ１００と、このリーダライタ１００を制御するＰＣ（制御装置）５０が接続されている。尚、本実施形態では発光手段としてＬＥＤを使用したが、他の発光手段でも構わない。
次に本実施形態の概略動作について説明する（詳細は後述する）。ＰＣ５０からリーダライタ１００に対して読取のコマンドが発行される。するとリーダライタ１００はアンテナ３１に搬送波を送信する。その搬送波は電磁波３５となってアンテナ３１から放射され、近接しているループコイル３２と電磁結合してループコイル３２に起電力が発生する。その起電力は電力生成回路３３により整流されて直流電力となり、所定の電圧以上になるとＬＥＤ３４のアノードからカソードに電流が流れてＬＥＤ３４を点灯させる。即ち、搬送波がアンテナ３１から放射されている間ＬＥＤ３４は点灯を継続する。
このように本実施形態は目に見えない電波を目視化する一つの手段である。即ち、アンテナ３１の近傍にループコイル３２を配置させ、アンテナ３１から放射される電波パワーの一部をループコイル３２で電磁結合して利用して、その電力を電力生成回路３３により整流してＬＥＤ３４を点灯させるものである。これにより実際にアンテナから放射される電波を目視により検出することができる。またアンテナ３１とループコイル３２の距離は近いほど電磁結合が強くなる。即ち、通常のパワーでＬＥＤ３４が発光するようにアンテナ３１とループコイル３２の距離を設定することにより、電波を効率良くループコイル３２で電磁結合することができる。
【００１１】
図４は本発明の第２の実施形態に係る電波確認装置の構成図である。図３ではアンテナ３１から電波が放射されていることは確認できるが、その電波が正しい情報であるか否かについては確認することはできない。この電波確認装置４０は、物品に付されたＩＣタグに対して管理情報を読み書きするための電波を授受するアンテナ４１と、このアンテナ４１を介してＩＣタグに対して管理情報の読み書きを行うリーダライタ１００と、このリーダライタ１００を制御するＰＣ５０と、アンテナ４１についての情報を記録するダミーＩＣタグ２００とを備えて構成される。
次に本実施形態の概略動作について説明する（詳細は後述する）。ＰＣ５０からリーダライタ１００に対して読取のコマンドが発行される。するとリーダライタ１００はアンテナ４１に搬送波を送信する。その搬送波は電磁波４２となってアンテナ４１から放射され、近接しているダミーＩＣタグ２００と電磁結合されてダミーＩＣタグ２００を起動する。これによりリーダライタ１００とダミーＩＣタグ２００が交信可能となり、ダミーＩＣタグ２００に記録されている記録情報をリーダライタ１００が読取ることができる。
本実施形態の特徴は、アンテナ４１から電波が放射されると、必ずリーダライタ１００と交信を開始できるようにアンテナ４１の近傍にダミーＩＣタグ２００を備えた点である。そしてこのダミーＩＣタグ２００には、アンテナ４１の番号とダミーＩＣタグ２００自身のＩＤを記録しておくので、アンテナ４１からダミーＩＣタグ２００の記録情報を読み取ることができ、アンテナ４１に関する詳しい情報を取得することができる。また本実施形態のダミーＩＣタグ２００の役目は、アンテナ４１から電波が放射されていることについての検証だけではなく、ダミーＩＣタグ２００と交信して受信した情報により、実際の物品に付されたＩＣタグとの間で正常に交信できるか否かという点まで検証できることである。そのために、ダミーＩＣタグ２００にダミーＩＣタグ２００自身のＩＤと、ダミーＩＣタグ２００と交信するアンテナの番号を記録しておくものである。これによりアンテナ４１とダミーＩＣタグ２００との対応付けを確実に行うことができる。またアンテナ４１とダミーＩＣタグ２００の距離は近いほど電磁結合が強くなる。即ち、通常のパワーでダミーＩＣタグ２００との交信が可能なようにアンテナ４１とダミーＩＣタグ２００の距離を設定することが重要である。
【００１２】
図５は本発明の第１の実施形態に係る物品管理装置の構成図である。同じ構成要素には同じ参照番号を付して説明する。この物品管理装置３００は図３に記載の電波確認装置３０と、アンテナ３１を介して物品のＩＣタグに対して管理情報の読み書きを行うリーダライタ１００と、このリーダライタ１００を制御するＰＣ５０と、複数の電波確認装置３０ａ〜３０ｎの何れか一つを選択する切替装置６０とを備えて構成される。尚、本実施形態では各電波確認装置３０ａ〜３０ｎはそれぞれ什器６１ａ〜６１ｎに備えられているものとする。そして図５では切替装置６０が什器６１ｂを選択して電波確認装置３０ｂのＬＥＤ３４ｂが点灯している場合を示している。また切替装置６０はＰＣ５０により制御線６２により制御される。
図６は本発明の第１の実施形態に係る物品管理装置３００の動作フローチャートである。図５を参照して説明する。まずＰＣ５０から制御線６２により切替装置６０に対して、例えば電波確認装置３０ｂを選択するように指示する。切替装置６０はその指示に基づいてリーダライタ１００と電波確認装置３０ｂを接続し、アンテナ３１に電波を出力する（Ｓ１）。次に操作者は什器６１ｂに備えられたＬＥＤ３４ｂが点灯しているかを確認し（Ｓ２）、他の什器のＬＥＤが点灯してなくＬＥＤ３４ｂだけが点灯していれば切替装置６０と什器との接続が正常と判断する（Ｓ３）。またステップＳ２でＬＥＤ３４ｂが点灯していない場合（Ｓ２でＮＯのルート）、他の什器のＬＥＤが点灯しているか否かを確認し（Ｓ４）、他の什器のＬＥＤが点灯していれば（Ｓ４でＹＥＳのルート）、接続が間違っていると判断する（Ｓ５）。ステップＳ４で他の什器のＬＥＤが点灯していなければ（Ｓ４でＮＯのルート）、断線か故障と判断する（Ｓ６）。以下、ＰＣ５０は順次切替装置６０を切替えて全ての什器に電波が正しく出力されるか否かをチェックする。
本実施形態の物品管理装置３００は、各什器に備えられたアンテナに電波確認装置を取り付け、更に複数の電波確認装置の何れか一つを選択する切替装置６０を備えたものである。そして選択された電波確認装置にリーダライタ１００から電波を送信する。電波を受信したループコイルはその電力を整流してＬＥＤを点灯させる。これにより、目視によりどの什器のアンテナに電波が送信されたかを確認することができる。
【００１３】
図７は本発明の第２の実施形態に係る物品管理装置の構成図である。同じ構成要素には同じ参照番号を付して説明する。この物品管理装置４００は図４に記載の電波確認装置４０と、アンテナ４１を介して物品のＩＣタグとダミーＩＣタグに対して管理情報の読み書きを行うリーダライタ１００と、このリーダライタ１００を制御するＰＣ５０と、複数の電波確認装置４０ａ〜４０ｎの何れか一つを選択する切替装置６０とを備えて構成される。尚、本実施形態では各電波確認装置４０ａ〜４０ｎはそれぞれ什器６１ａ〜６１ｎに備えられているものとする。また切替装置６０はＰＣ５０により制御線６２により制御される。
図８は本発明の第２の実施形態に係る物品管理装置４００の動作フローチャートである。図７を参照して説明する。まずＰＣ５０から制御線６２により切替装置６０に対して、例えば電波確認装置４０ｂを選択するように指示する。切替装置６０はその指示に基づいてリーダライタ１００と電波確認装置４０ｂを接続し、アンテナ４１に電波を出力する（Ｓ１１）。次にダミーＩＣタグ２００ｂに対して応答したか否かをチェックする（Ｓ１２）。その結果、応答があると（Ｓ１２でＹＥＳのルート）ダミーＩＣタグ２００ｂに記録されているアンテナ番号（この例ではアンテナ番号は２番）を読取る（Ｓ１３）。ここでアンテナ番号とダミーＩＣタグのＩＤとの対応関係を図９に示す。ＩＤは各ダミーＩＣタグが固有に有するものであり、全て異なるように決められている。従って、予め所定のダミーＩＣタグをアンテナに近接して配設した場合、そのダミーＩＣタグにアンテナの番号を対応付けて記録しておく。例えば、図９ではアンテナ番号１にはＩＤが「ＡＢＣ」のダミーＩＣタグが配設されていることを表している。ステップＳ１４では、読取ったアンテナ番号をチェックし（Ｓ１４）、ステップＳ１１で指定したアンテナ番号であれば（Ｓ１４でＹＥＳのルート）正常な接続であると判断する（Ｓ１５）。ステップＳ１４でステップＳ１１で指定したアンテナ番号でなければ（Ｓ１４でＮＯのルート）接続間違いであると判断する（Ｓ１６）。またステップＳ１２でダミーＩＣタグが応答しなければ（Ｓ１２でＮＯのルート）、ダミーＩＣタグの故障とみなして終了する（Ｓ１７）。
【図面の簡単な説明】
【００１４】
【図１】一般的なＩＣタグ用リーダライタの構成を示すブロック図である。
【図２】一般的なＩＣタグの構成を示すブロック図である。
【図３】本発明の第１の実施形態に係る電波確認装置の構成図である。
【図４】本発明の第２の実施形態に係る電波確認装置の構成図である。
【図５】本発明の第１の実施形態に係る物品管理装置の構成図である。
【図６】本発明の第１の実施形態に係る物品管理装置３００の動作フローチャートである。
【図７】本発明の第２の実施形態に係る物品管理装置の構成図である。
【図８】本発明の第２の実施形態に係る物品管理装置４００の動作フローチャートである。
【図９】アンテナ番号とダミーＩＣタグのＩＤとの対応関係を示す図である。
【図１０】従来のファイル管理システムの構成を示すブロック図である。
【符号の説明】
【００１５】
３０  電波確認装置、３１  アンテナ、３２  ループコイル、３３  電力生成回路、３４  ＬＥＤ、５０  ＰＣ、６０  切替装置、６１  什器、１００  リーダライタ、２００  ダミーＩＣタグ、３００  物品管理装置
【図１】
2006040037.tif 000003
【図２】
2006040037.tif 000004
【図３】
2006040037.tif 000005
【図４】
2006040037.tif 000006
【図５】
2006040037.tif 000007
【図６】
2006040037.tif 000008
【図７】
2006040037.tif 000009
【図８】
2006040037.tif 000010
【図９】
2006040037.tif 000011
【図１０】
2006040037.tif 000012